(57)【要約】      （修正有）【課題】噛合部を有する揺動アームと弾性子とにより、リールを同期に往復動可能に挟み可能な双方向同期定位装置を提供する。【解決手段】ガイド溝部を有する装置本体１と、ガイド溝部に、第１移動方向に沿って往復動可能に設ける第１治具と、第１移動方向の逆方向である第２移動方向に沿って往復動可能に設ける第２治具とを有する。また、第１治具に揺動可能に設けられ、第１噛合部３１ａを有する第１揺動アーム３ａと、第２治具に揺動可能に設けられ、第２噛合部を有する第２揺動アーム３ｂと、第１噛合部と第２噛合部が、回動可能に設けられる。互いに噛合う連結具４と、第１固定端と、第１固定端から延びる第１連結端５２ａと、を有し、第１固定端は、第１治具と第２治具の間に設けられ、第１連結端は第１治具に設けられている第１弾性子５ａと、を含み、リールを定位するためのものである。【選択図】図３
0003184990.tif 000002
【実用新案登録請求の範囲】
【請求項１】
リールを定位するためのものであり、
ガイド溝部を有する装置本体と、
前記ガイド溝部に、第１移動方向に沿って往復動可能に設けられている第１治具と、
前記ガイド溝部に、前記第１移動方向の逆方向である第２移動方向に沿って往復動可能に設けられている第２治具と、
前記第１治具に旋回可能に設けられており、第１噛合部を有する第１揺動アームと、
前記第２治具に旋回可能に設けられており、第２噛合部を有する第２揺動アームと、
前記第１噛合部と前記第２噛合部が、回動可能に設けられており、互いに噛合い、これにより、前記第１揺動アームは、前記第１噛合部と前記第２噛合部を介して前記第２揺動アームを連動する連結具と、
第１固定端と、前記第１固定端から延びる第１連結端と、を有し、前記第１固定端は、前記第１治具と前記第２治具の間に設けられており、前記第１連結端は前記第１治具に設けられている第１弾性子と、
を含む双方向同期定位装置において、
前記第１治具が前記第１移動方向に沿って移動して、前記第１揺動アームを介して前記第２揺動アームを駆動して、前記第２治具が前記第２移動方向に沿って移動するときには、前記第１弾性子の弾性により、前記第１治具が前記第２移動方向に沿って戻して、前記第１揺動アームと前記第２揺動アームとにより、前記第２治具が駆動されて前記第１移動方向に沿って移動し、これにより、前記リールが前記第１治具と前記第２治具の間に定位されることを特徴とする双方向同期定位装置。
【請求項２】
更に、規制具を含み、前記連結具には、更に、規制溝が設けられており、前記規制具は、前記規制溝を挿通して前記装置本体に固定されており、これにより、前記連結具は所定範囲内に移動可能であることを特徴とする、請求項１に記載の双方向同期定位装置。
【請求項３】
前記規制溝は、第３移動方向に沿って延び、前記第３移動方向は、前記第１移動方向と前記第２移動方向とに垂直であることを特徴とする、請求項２に記載の双方向同期定位装置。
【請求項４】
更に、ロックスライダーを含み、前記ロックスライダーは、前記装置本体に移動可能に設けられており、制止部を有し、前記連結具は、更に、前記制止部に対応するラック構造を有し、前記ロックスライダーにより、前記連結具を係止可能であることを特徴とする、請求項１に記載の双方向同期定位装置。
【請求項５】
更に、定位具を含み、前記定位具は、前記ロックスライダーに合せるように前記装置本体に設けられており、前記定位具により前記ロックスライダーを定位可能であることを特徴とする、請求項４に記載の双方向同期定位装置。
【請求項６】
更に、第２弾性子を含み、前記第２弾性子は、第２固定端と、前記第２固定端から延びる第２連結端と、を有し、前記第２連結端は前記第２治具に設けられていることを特徴とする、請求項１に記載の双方向同期定位装置。
【請求項７】
前記第１固定端と前記第２固定端とは、互いに重なるように前記装置本体に設けられていることを特徴とする、請求項６に記載の双方向同期定位装置。
【請求項８】
前記ガイド溝部は、更に、第１ガイド溝と、第２ガイド溝と、を含み、前記第１治具は、前記第１ガイド溝に往復動可能に設けられており、前記第２治具は、前記第２ガイド溝に往復動可能に設けられていることを特徴とする、請求項１に記載の双方向同期定位装置。
【考案の詳細な説明】
【技術分野】
【０００１】
本考案は、定位装置に関し、特に、噛合部を有する揺動アームと弾性子とにより、リールを同期に往復動可能に挟み可能な双方向同期定位装置に関するものである。
【背景技術】
【０００２】
電子技術が広汎に利用されている現在では、プリント装置が日常生活の不可欠なものとなり、バーコード機械が各種類の商品及び支払シートに利用され、更に、企業の品物の管理もバーコードを利用する。プリント装置は、リールによって紙、又はインクリボンを供給することが一般的である。リールの設置方法は、定位溝にリールの両端を入れ、又は治具によってリールを直接に固定することである。
【０００３】
従来の定位装置は、一定の寸法を有するリールを固定可能であるが、別の寸法を有するリールを固定不能である。固定の方式が良くなく、又はリールに巻き付けられたものが軽くなった場合には、リールが引かれ、又は揺れやすくなる。このように、プリントの位置が若干にずれやすくて、プリントの品質が良くない。このような定位装置をバーコード機械に適用する場合には、プリントされたバーコードがバーコード識別システムに識別され不能となることがある。
【考案の概要】
【考案が解決しようとする課題】
【０００４】
本考案の主な目的は、噛合部を有する揺動アームと弾性子とにより、治具を同期に移動可能であり、これにより、二つの治具の間にある距離を同期に調整可能であり、リールを挟むときの操作の便利性を増加可能な双方向同期定位装置を提供することにある。
【０００５】
本考案の次の目的は、制止部を有するロックスライダーと、制止部に対応するラック構造と、を設けることにより、第１治具と第２治具がリールを安定に定位可能な双方向同期定位装置を提供することにある。
【課題を解決するための手段】
【０００６】
本考案の双方向同期定位装置によると、リールを定位するためのものであり、ガイド溝部を有する装置本体と、ガイド溝部に、第１移動方向に沿って往復動可能に設けられている第１治具と、ガイド溝部に、第１移動方向の逆方向である第２移動方向に沿って往復動可能に設けられている第２治具と、第１治具に旋回可能に設けられており、第１噛合部を有する第１揺動アームと、第２治具に旋回可能に設けられており、第２噛合部を有する第２揺動アームと、第１噛合部と第２噛合部が、回動可能に設けられており、互いに噛合い、これにより、第１揺動アームは、第１噛合部と第２噛合部を介して第２揺動アームを連動する連結具と、第１固定端と、第１固定端から延びる第１連結端と、を有し、第１固定端は、第１治具と第２治具の間に設けられており、第１連結端は第１治具に設けられている第１弾性子と、を含む双方向同期定位装置において、第１治具が第１移動方向に沿って移動して、第１揺動アームを介して第２揺動アームを駆動して、第２治具が第２移動方向に沿って移動するときには、第１弾性子の弾性により、第１治具が第２移動方向に沿って戻して、第１揺動アームと第２揺動アームとにより、第２治具が駆動されて第１移動方向に沿って移動し、これにより、リールが第１治具と第２治具の間に定位されることを特徴とする。
【０００７】
本考案の双方向同期定位装置によると、更に、規制具を含み、連結具には、更に、規制溝が設けられており、規制具は、規制溝を挿通して装置本体に固定されており、これにより、連結具は所定範囲内に移動可能であることを特徴とする。
【０００８】
本考案の双方向同期定位装置によると、規制溝は、第３移動方向に沿って延び、第３移動方向は、第１移動方向と第２移動方向とに垂直であることを特徴とする。
【０００９】
本考案の双方向同期定位装置によると、更に、ロックスライダーを含み、ロックスライダーは、装置本体に移動可能に設けられており、制止部を有し、連結具は、更に、制止部に対応するラック構造を有し、ロックスライダーにより、連結具を係止可能であることを特徴とする。
【００１０】
本考案の双方向同期定位装置によると、更に、定位具を含み、定位具は、ロックスライダーに合せるように装置本体に設けられており、定位具によりロックスライダーを定位可能であることを特徴とする。
【００１１】
本考案の双方向同期定位装置によると、更に、第２弾性子を含み、第２弾性子は、第２固定端と、第２固定端から延びる第２連結端と、を有し、第２連結端は第２治具に設けられていることを特徴とする。
【００１２】
本考案の双方向同期定位装置によると、第１固定端と第２固定端とは、互いに重なるように装置本体に設けられていることを特徴とする。
【００１３】
本考案の双方向同期定位装置によると、ガイド溝部は、更に、第１ガイド溝と、第２ガイド溝と、を含み、第１治具は、第１ガイド溝に往復動可能に設けられており、第２治具は、第２ガイド溝に往復動可能に設けられていることを特徴とする。
【考案の効果】
【００１４】
本考案の双方向同期定位装置によれば、次のような効果がある。
（１）噛合部を有する揺動アームと弾性子とにより、治具を同期に移動可能であり、これにより、二つの治具の間にある距離を同期に調整可能であり、リールを挟むときの操作の便利性を増加可能である。
【００１５】
（２）制止部を有するロックスライダーと、制止部に対応するラック構造と、を設けることにより、第１治具と第２治具がリールを安定に定位可能である。
【図面の簡単な説明】
【００１６】
【図１】本考案の一実施例を示す斜視図である。
【図２】本考案の一実施例を示す正面図である。
【図３】本考案の一実施例を示す背面図である。
【図４】本考案の一実施例の連結具及びロックスライダーを示す模式図である。
【図５】本考案の一実施例の治具が開かれた状態を示す正面図である。
【図６】本考案の一実施例の治具が開かれた状態を示す背面図である。
【図７】本考案の一実施例がリールを定位した状態を示す模式図である。
【考案を実施するための形態】
【００１７】
以下、本考案の実施の形態を図面に基づいて説明する。
図１から図４を参照する。図１は本考案の一実施例を示す斜視図であり、図２は本考案の一実施例を示す正面図であり、図３は本考案の一実施例を示す背面図であり、図４は本考案の一実施例の連結具及びロックスライダーを示す模式図である。本実施例の双方向同期定位装置１００は、装置本体１と、第１治具２ａと、第２治具２ｂと、第１揺動アーム３ａと、第２揺動アーム３ｂと、連結具４と、第１弾性子５ａと、第２弾性子５ｂと、規制具６と、ロックスライダー７と、定位具８と、定位ボタン９と、を含む。
【００１８】
装置本体１は、図５に示したガイド溝部１１と、図６に示した収容空間１２と、を有する。ガイド溝部１１は、更に、第１ガイド溝１１１ａと、第２ガイド溝１１１ｂと、を含む。収容空間１２は、第１ガイド溝１１１ａと第２ガイド溝１１１ｂの間に設けられている。
【００１９】
第１治具２ａは、第１連結スライダー２１ａと、第１定位突起２２ａ（図１に示さなかったが、図２に示した）と、を有する。第１連結スライダー２１ａは、第１移動方向Ｌ１に沿って往復動できるように、第１ガイド溝１１１ａに設けられている。第１連結スライダー２１ａには、更に、第１引掛部２１１ａが設けられている。第２治具２ｂは、第２連結スライダー２１ｂと、第２定位突起２２ｂと、を有する。第２連結スライダー２１ｂは、第１移動方向Ｌ１の逆方向である第２移動方向Ｌ２に沿って往復動できるように、第２ガイド溝１１１ｂに設けられている。第２連結スライダー２１ｂには、更に、第２引掛部２１１ｂが設けられている。第１ガイド溝１１１ａと第２ガイド溝１１１ｂは、同じ基準ライン（図示せず）に位置し、これにより、第１治具２ａと第２治具２ｂを同じ基準ラインに沿って移動させることが可能である。
【００２０】
第１揺動アーム３ａは、第１噛合部３１ａを有し、第１治具２ａの第１連結スライダー２１ａに回動可能に設けられている。第２揺動アーム３ｂは、第２噛合部３１ｂを有し、第２治具２ｂの第２連結スライダー２１ｂに回動可能に設けられている。第１噛合部３１ａと第２噛合部３１ｂが互いに噛合うため、第１揺動アーム３ａが旋回しているときに、第２揺動アーム３ｂが連動される。
【００２１】
連結具４は、連結具本体４１と、規制部４２と、ラック構造４３と、止め部４４と、を含む。第１噛合部３１ａと第２噛合部３１ｂは、互いに噛合い、連結具本体４１に回動可能に設けられている。規制部４２は、連結具本体４１から、第１移動方向Ｌ１と第２移動方向Ｌ２とに垂直である第３移動方向Ｌ３に沿って延び、第３移動方向Ｌ３に沿って移動できるように収容空間１２に設けられている。規制部４２には、更に、規制溝４２１が設けられている。規制溝４２１は、規制部４２を規制して第３移動方向Ｌ３に沿って移動可能にするためのものである。ラック構造４３は、規制部４２の側辺に設けられている。止め部４４は、ラック構造４３の一側に設けられている。
【００２２】
第１弾性子５ａは、第１固定端（図示せず）と、第１連結端５２ａと、を有する。前記第１固定端は、第１治具２ａと第２治具２ｂの間に設けられている。第１連結端５２ａは、前記第１固定端から延びて第１引掛部２１１ａに引っ掛ける。第２弾性子５ｂは、第２固定端（図示せず）と、第２連結端５２ｂと、を有する。前記第２固定端と前記第１固定端は、互いに重なるように装置本体１に設けられている。第２連結端５２ｂは、前記第２固定端から延びて第２引掛部２１１ｂに引っ掛ける。本実施例の第１弾性子５ａと第２弾性子５ｂは、バネなどの回復力を有する弾性子である。
【００２３】
規制具６は、規制溝４２１を挿通して装置本体１に固定されている。これにより、連結具４は、収容空間１２の内部において、規制されて第３移動方向Ｌ３に沿って往復動可能である。このように、連結具４の移動時の離脱を有効に防止可能である。
【００２４】
ロックスライダー７は、第１移動方向Ｌ１に沿って移動できるように装置本体１に設けられている。ロックスライダー７は、制止部７１と、定位部７２と、を有する。制止部７１はラック構造４３に対応する。定位部７２に二つの溝（図示せず）が設けられているため、ロックスライダー７が連結具４を係止して固定可能である。
【００２５】
定位具８は、装置本体１に設けられており、定位部７２の前記二つの溝に合せ可能である。定位部７２と定位具８を合せることにより、制止部７１は連結具４を選択的に係止して固定可能である。定位ボタン９はロックスライダー７に固定されている。このように、定位ボタン９を操作することにより、ロックスライダー７が連結具４を選択的に係止して固定可能である。
【００２６】
本実施例では、ラック構造４３及び制止部７１の設計により、ラック構造４３の制止部７１を移動しても、本来に位置する平面からずれることを防止可能である。すなわち、ラック構造４３が制止されているときに、第１治具２ａは、第１移動方向Ｌ１への移動が可能であり、第２移動方向Ｌ２への移動ができず、そして第１治具２ａが第１移動方向Ｌ１へ移動しているときには、ユーザを警告するための音が発生する。また、第２治具２ｂも第２移動方向Ｌ２だけへの移動が可能である。
【００２７】
しかし、本考案の別の実施例では、ラック構造４３が制止されているときに、第１治具２ａは、第１移動方向Ｌ１、又は第２移動方向Ｌ２へ移動可能であるが、第１治具２ａが移動しているときには、ユーザを警告するための音が発生する。
【００２８】
図５から図７を参照する。図５は本考案の一実施例の治具が開かれた状態を示す正面図であり、図６は本考案の一実施例の治具が開かれた状態を示す背面図であり、図７は本考案の一実施例がリールを定位した状態を示す模式図である。具体的には、双方向同期定位装置１００にリール２００を組み付けたいときには、リール２００を組み付け可能な位置まで、第１治具２ａを第１移動方向Ｌ１に沿って移動することが必要であり、第１治具２ａを移動しているときに、第１連結スライダー２１ａと連結する第１揺動アーム３ａが駆動されて旋回して、第１噛合部３１ａと噛合う第２噛合部３１ｂが旋回されて、第２揺動アーム３ｂが旋回されて、リール２００を組み付け可能な位置まで、第２治具２ｂが第２移動方向Ｌ２に沿って移動される。第１揺動アーム３ａと第２揺動アーム３ｂが同期に連動することにより、収容空間において、連結具４が第３移動方向Ｌ３に沿って移動して、規制溝４２１を挿通する規制具６によって、連結具４の移動が規制される。
【００２９】
第１治具２ａが第１移動方向Ｌ１に沿って移動することにより、第１引掛部２１１ａに引っ掛ける第１弾性子５ａは、延ばされて第２移動方向Ｌ２への回復力を発生する。第２治具２ｂが第２移動方向Ｌ２に沿って移動することにより、第２引掛部２１１ｂに引っ掛ける第２弾性子５ｂは、延ばされて第１移動方向Ｌ１への回復力を発生する。このように、第１治具２ａと第２治具２ｂとにより、リール２００が挟まれて固定する。そしてリール２００の両端は、第１定位突起２２ａと第２定位突起２２ｂとにそれぞれ係合されている。
【００３０】
このように、定位ボタン９を第２移動方向Ｌ２に沿って移動するときには、ロックスライダー７が第２移動方向Ｌ２に沿って移動されて、定位具８が定位部７２と係合して、ロックスライダー７が定位されて、制止部７１とラック構造４３が互いに制止するため、第１治具２ａと第２治具２ｂとが定位される。第１治具２ａを第１移動方向Ｌ１に沿って引き続き移動すると、連結具４は、第３移動方向Ｌ３に沿って移動して、制止部７１と互いに制止して音を発生してユーザを警告する。逆に、定位ボタン９を第１移動方向Ｌ１に沿って移動するときには、ロックスライダー７が第１移動方向Ｌ１に沿って移動されて、定位具８が定位部７２と係合して、ロックスライダー７が定位されて、制止部７１とラック構造４３の互いの制止が解除されるため、第１弾性子５ａの回復力により第１治具２ａが本来の位置に戻し、第２弾性子５ｂの回復力により第２治具２ｂが本来の位置に戻す。
【００３１】
本考案の別の実施例では、前記連結具は、連結具本体だけを有し、規制部と規制具とを有さなくてもよい。
【００３２】
本考案の別の実施例では、前記第１揺動アームと前記第２揺動アームは、第１弾性子によって直接に連結してもよい。このように、第１治具及び第２治具を本来の位置に戻させ可能である。
【００３３】
本考案の別の実施例では、前記双方向同期定位装置に、第１弾性子だけを設けて、第２弾性子を設けなくてもよい。このように、第１治具及び第２治具を本来の位置に戻させ可能である。
【００３４】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３５】
１：装置本体
２ａ：第１治具
２ｂ：第２治具
３ａ：第１揺動アーム
３ｂ：第２揺動アーム
４：連結具
５ａ：第１弾性子
５ｂ：第２弾性子
６：規制具
７：ロックスライダー
８：定位具
９：定位ボタン
１１：ガイド溝部
１２：収容空間
２１ａ：第１連結スライダー
２１ｂ：第２連結スライダー
２２ａ：第１定位突起
２２ｂ：第２定位突起
３１ａ：第１噛合部
３２ｂ：第２噛合部
４１：連結具本体
４２：規制部
４３：ラック構造
４４：止め部
５２ａ：第１連結端
５２ｂ：第２連結端
７１：制止部
７２：定位部
１００：双方向同期定位装置
１１１ａ：第１ガイド溝
１１１ｂ：第２ガイド溝
２００：リール
２１１ａ：第１引掛部
２１１ｂ：第２引掛部
４２１：規制溝
Ｌ１：第１移動方向
Ｌ２：第２移動方向
Ｌ３：第３移動方向
【産業上の利用可能性】
【００３６】
本考案は、定位装置に適用することができる。
【図１】
0003184990.tif 000003
【図２】
0003184990.tif 000004
【図３】
0003184990.tif 000005
【図４】
0003184990.tif 000006
【図５】
0003184990.tif 000007
【図６】
0003184990.tif 000008
【図７】
0003184990.tif 000009